(57)【要約】【課題】固定部材を取り外すことなく履くことができる靴及び靴に装着される中敷き体を提供する。【解決手段】本発明に係る靴は、足の履き口を有する靴本体と、前記靴本体の内部に装着される中敷きと、前記履き口に挿入された足首における前記靴本体の先端側、または足の甲に巻き付けられる固定部材と、を備え、前記固定部材の両端部のうち少なくとも一方が、前記中敷きに取り付けられており、前記中敷きは、少なくとも前記靴本体の後端側に位置する部分が、前記靴本体から取り外し可能に構成されている。【選択図】図１
2013180133.tif 000002
【特許請求の範囲】
【請求項１】
足の履き口を有する靴本体と、
前記靴本体の内部に装着される中敷きと、
前記履き口に挿入された足首における前記靴本体の先端側、または足の甲に巻き付けられる固定部材と、を備え、
前記固定部材の両端部のうち少なくとも一方が、前記中敷きに取り付けられており、
前記中敷きは、少なくとも前記靴本体の後端側に位置する部分が、前記靴本体から離間可能に構成されている、靴。
【請求項２】
前記靴本体の甲被における前記履き口側の端部は、上下方向に揺動可能であり、
前記固定部材は、前記甲被の端部に一体的に連結されている、請求項１に記載の靴。
【請求項３】
前記靴本体は、上下方向に揺動可能な舌革を備え、
前記固定部材は、前記靴本体の舌革と一体的に連結されている、請求項１に記載の靴。
【請求項４】
前記固定部材の中間部が、当該固定部材の両端部よりも、前記靴本体の先端側に配置されている、請求項１から３のいずれかに記載の靴。
【請求項５】
前記固定部材は、前記両端部の間で分離されて第１部分及び第２部分により構成され、当該第１部分及び第２部分を着脱自在に連結する連結部が設けられている、請求項１から４のいずれかに記載の靴。
【請求項６】
前記固定部材は、前記中敷きに着脱自在に取り付けられている、請求項１から５のいずれかに記載の靴。
【請求項７】
足の履き口を有する靴に装着される中敷き体であって、
前記靴本体の内部に装着される中敷きと、
前記履き口に挿入された足首における前記靴本体の先端側、または足の甲に巻き付けられる固定部材と、を備え、
前記固定部材の両端部のうち少なくとも一方が、前記中敷きに取り付けられており、
前記中敷きは、少なくとも前記靴本体の後端側に位置する部分が、前記靴本体から離間可能に構成されている中敷き体。
【請求項８】
前記固定部材の中間部が、当該固定部材の両端部よりも、前記靴本体の先端側に配置されている、請求項７に記載の中敷き体。
【請求項９】
前記固定部材は、前記中敷きに着脱自在に取り付けられている、請求項７または８に記載の中敷き体。
【請求項１０】
前記固定部材は、前記両端部の間で分離されて第１部分及び第２部分により構成され、当該第１部分及び第２部分を着脱自在に連結する連結部が設けられている、請求項７から９のいずれかに記載の中敷き体。
【発明の詳細な説明】
【技術分野】
【０００１】
本発明は、靴及び中敷き体に関する。
【背景技術】
【０００２】
従来より、履き口に挿入された足の足首にベルトを巻き付けることによって、足を固定する種々の靴が提案されている。このようなベルトは、足の固定のほか、装飾用としても用いられ、例えば、特許文献１には、リボンなどの装飾が施されたベルトによって、足首を固定する靴が開示されている。
【先行技術文献】
【特許文献】
【０００３】
【特許文献１】登録実用新案第３０１１７７７号公報
【発明の概要】
【発明が解決しようとする課題】
【０００４】
ところで、上記のような靴では、ベルトと履き口の後端部とで形成される開口が足首にフィットするように形成されているため、この開口からは踵を挿入することはできない。そのため、足を履き口に挿入する際には、一旦、ベルトを取り外す必要があり、足を靴の内部に配置した後に、ベルトを再度足首に巻き付けなければならなかった。したがって、靴を履くのに時間を要し、面倒であるという問題があった。このような問題は、ベルトを足首に巻き付けて足を靴に固定する態様だけではなく、例えば、足の甲を覆うことにより、足を靴に固定する態様においても同様の問題が生じうる。本発明は、この問題を解決するためになされたものであり、ベルトや甲に巻き付けられる部材等の固定部材を取り外すことなく履くことができる靴及び中敷き体を提供することを目的とする。
【課題を解決するための手段】
【０００５】
本発明に係る靴は、足の履き口を有する靴本体と、前記靴本体の内部に装着される中敷きと、前記履き口に挿入された足首における前記靴本体の先端側、または足の甲に巻き付けられる固定部材と、を備え、前記固定部材の両端部のうち少なくとも一方が、前記中敷きに取り付けられており、前記中敷きは、少なくとも前記靴本体の後端側に位置する部分が、前記靴本体から離間可能に構成されている。
【０００６】
この靴は次のように使用される。まず、固定部材と履き口の後端部とで形成される挿入開口に足を挿入する。この挿入開口の内径は、足首にフィットするように形成されているため、踵は挿入できない。そのため、足首よりも先端側が挿入開口に挿入され、踵は履き口の開口の後端に載るような状態となる。こうして、足先を中敷きに載せた上で、これを中心に踵を上方へ上げると、足の甲に引っ掛かった固定部材が持ち上げられ、これとともに中敷きの後端側が靴本体の内部から持ち上がる。このとき、固定部材が上方に引き上げられたことにより、挿入開口が大きくなり、踵も挿入可能になる。そして、足を靴本体の先端側に移動させて踵が中敷きの後端部に載った状態で、踵を下方に下げると、足が靴本体の内部に収容される。このように、本発明では、固定部材を取り外すことなく、靴を簡単に履くことができる。
【０００７】
上記靴においては、靴本体の甲被における前記履き口側の端部が、上下方向に揺動可能に構成され、固定部材が、甲被の端部と一体的に連結されるように構成することができる。このようにすると、足先を中敷きに載せた状態で、甲被を足の甲に引っ掛けて踵を上げると、中敷きの後端部を靴本体の内部から持ち上げることができる。したがって、甲被を利用して中敷きを上下動させることができる。なお、「固定部材が、甲被の端部と一体的に連結される」とは、固定部材が甲被の端部に固定され、甲被と固定部材とが一体として動作するように構成されているほか、固定部材と甲被の端部とが一体的に同じ材料で形成されている場合も意味する。そして、いずれの場合も、甲被の端部が固定部材の一部として機能するように構成されるため、上述した「挿入開口」とは、甲被の端縁と履き口の後端部とで形成される開口を意味する。
【０００８】
上記靴においては、靴本体に、上下方向に揺動可能な舌革を設け、固定部材が、靴本体の舌革と一体的に連結されるように構成することができる。このようにすると、足先を中敷きに載せた状態で、舌革を足の甲に引っ掛けて踵を上げると、中敷きの後端部を靴本体の内部から持ち上げることができる。したがって、舌革を利用して中敷きを上下動させることができる。なお、「固定部材が、舌皮と一体的に連結される」とは、固定部材が舌革に固定され、舌革と固定部材とが一体として動作するように構成されているほか、固定部材と舌革とが一体的に同じ材料で形成されている場合も意味する。そして、いずれの場合も、舌革が固定部材の一部として機能するように構成されるため、上述した「挿入開口」とは、舌革の端縁と履き口の後端部とで形成される開口を意味する。
【０００９】
上記靴においては、固定部材の少なく一方の端部が中敷きに取り付けられていればよく、他方の端部は、例えば、靴本体の内部や履き口の近傍に取り付けたり、あるいはどこにも取り付けないようにすることもできる。
【００１０】
また、上記固定部材の中間部（靴本体の前後方向の最先部）を、当該固定部材の両端部よりも、前記靴本体の先端側に配置することが好ましい。足の甲を上方に上げたときに、挿入開口の内径を大きくしやすくなり、踵を挿入しやすくすることができる。その結果、靴がさらに履きやすくなる。
【００１１】
上記固定部材は、中敷きに固定することもできるし、着脱自在に取り付けることもできる。着脱自在に取り付ける場合には、使用者の嗜好に応じて固定部材を交換することができる。
【００１２】
また、固定部材を、両端部の間で分離された第１部分及び第２部分によって構成し、当該第１部分及び第２部分を着脱自在に連結する連結部を設けることができる。固定部材をこのように構成すると、固定部材を２つの部分に分離することができ、これによって、足を靴本体の履き口に容易に挿入して靴を履くことができる。このとき、固定部材の両端部は中敷きに取り付けられているため、歩行中に固定部材に作用する力は、中敷きが固定部材とともに引っ張られることによって、その一部が吸収されるため、固定部材のみに直接作用する力を低減することができる。したがって、上述した連結部を外すのに要する力を低減することができ、力が弱いユーザであっても容易に取り外すことかできる。
【００１３】
本発明に係る中敷き体は、足の履き口を有する靴に装着される中敷き体であって、前記靴本体の内部に装着される中敷きと、前記履き口に挿入された足首における前記靴本体の先端側、または足の甲に巻き付けられる固定部材と、を備え、前記固定部材の両端部のうち少なくとも一方が、前記中敷きに取り付けられており、前記中敷きは、少なくとも前記靴本体の後端側に位置する部分が、前記靴本体から取り外し可能に構成されている。
【００１４】
上記中敷き体においては、固定部材の中間部を、当該固定部材の両端部よりも、靴の先端側に配置することができる。
【００１５】
また、上記中敷き体において、固定部材は、中敷きに着脱自在に取り付けることができる。また、上記固定部材は、中敷きに固定することもできるし、着脱自在に取り付けることもできる。着脱自在に取り付ける場合には、使用者の嗜好に応じて固定部材を交換することができる。さらに、上記固定部材を、両端部の間で分離された第１部分及び第２部分により構成し、当該第１部分及び第２部分を着脱自在に連結する連結部を設けることもできる。
【発明の効果】
【００１６】
本発明によれば、固定部材を取り外すことなく靴を履くことができる。
【図面の簡単な説明】
【００１７】
【図１】本発明に係る靴の一実施形態を示す断面図である。
【図２】中敷き体の斜視図である。
【図３】図１の靴の使用方法を示す断面図である。
【図４】図１の靴の使用方法を示す断面図である。
【図５】図１の靴の使用方法を示す断面図である。
【図６】図１の靴の他の例を示す断面図である。
【図７】図１の靴の他の例を示す断面図である。
【図８】図１の靴の他の例を示す断面図である。
【図９】図１の靴の他の例を示す斜視図である。
【図１０】中敷き体の他の例を示す斜視図である。
【図１１】スナップボタンの取り外し試験の例を示す断面図である。
【発明を実施するための形態】
【００１８】
以下、本発明に係る靴の一実施形態について、図面を参照しつつ説明する。図１は、本実施形態に係る靴の断面図である。なお、以下の説明では、図１の左側を「先端」、「前」、右側を「後端」、「後」と称し、これを基準として他の図面においても同様に靴の説明を行う。
【００１９】
図１に示すように、この靴は、靴本体１と、その内部に配置される中敷き体２と、を備えている。靴本体１は、上部に履き口１１を有する甲被１２と、この甲被１２の下部に取り付けられた中底１３と、中底１３の底部に取り付けられた本底１４と、で構成されている。甲被１２の下端縁は内側に折り返され、この折り返された部分に甲被１２の内側から中底１３の周縁が接着剤などで固定されている。また、本底１４の上面全体に接着剤などが塗布され、甲被１２の折り返し部分及び中底１３に固定されている。
【００２０】
次に、中敷き体２について、図２も参照しつつ説明する。図２は中敷き体２の斜視図である。同図に示すように、中敷き体２は、ポリウレタン、ＥＶＡ（スポンジ）、ラテックスなどの弾性変形可能な材料で形成された中敷き２１と、この中敷き２１に取り付けられるベルト（固定部材）２２と、を備えている。中敷き２１は、中底１３とほぼ同じ形状に形成されており、靴本体１の内部に着脱自在に取り付けられる。ベルト２２は、その両端が中敷き２１の後端側に取り付けられてＵ字型をなし、図１に示すように、靴本体１の履き口１１から露出した状態で、靴本体１に挿入された足首に対し靴本体の幅方向に巻き付けられる。
【００２１】
次に、上記靴における各部の寸法の概要について説明する。図１に示すように、靴本体１の履き口１１の前後方向の長さＬ２は、靴の長さＬ１に対し、約２５〜約５０％の長さであることが容易な脱ぎ履きには好ましい。そして、前後方向において、靴本体１の後端からベルト２２の最先部までの長さＬ３は、上記長さＬ２よりも短くなっており、これによって履き口１１からベルト２２が露出するようになっている。また、ベルト２２の前後方向の最先部（中間部）２２１は、ベルト２２の両端部２２２よりも前方に位置するように、中敷き２１に対するベルト２２の角度が規定されている。
【００２２】
続いて、上記のように構成された靴の使用方法（履き方）について、図３〜図５を参照しつつ説明する。まず、図３に示すように、ベルト２２と履き口１１の後端部とで形成される挿入開口３に足を挿入する。この挿入開口３の前後方向の内径Ｄは、足首にフィットするように形成されているため、足先は挿入できるが踵までは挿入できない。そのため、足首よりも先端側が挿入開口３に挿入され、踵は履き口１１の後端に載るような状態となる。続いて、足先を中敷き２１の先端側に載せた上で、これを中心に踵を上方へ引き上げる。これにより、図４に示すように、足の甲にベルト２２が引っ掛けられ、踵の引き上げとともにベルト２２が持ち上げられる。こうして、中敷き２１の後端側がベルト２２によって引き上げられ、中底１３から持ち上がる。このとき、ベルト２２が上方に引き上げられたことにより、挿入開口３の前後方向の内径Ｄが大きくなる。その結果、挿入開口３に踵が挿入可能になる。この状態で、足先を靴本体１の先端側に移動させ、踵に挿入開口３を通過させる。こうして、図５に示すように、踵を含め、足裏の全体が中敷きに載った状態で、踵を下方に下げると、図１に示すように、足Ｆが靴本体１の内部に収容される。
【００２３】
以上のように、本実施形態によれば、中敷き２１を着脱自在に靴本体１の内部に装着し、この中敷き２１にベルト２２を取り付けるという構成を有している。そのため、ベルト２２を取り外すことなく、靴を簡単に履くことができる。
【００２４】
以上、本発明の一実施形態について説明したが、本発明は上記実施形態に限定されるものではなく、その趣旨を逸脱しない限りにおいて、種々の変更が可能である。
【００２５】
例えば、上記実施形態では、ベルト２２を中敷き２１に固定しているが、着脱自在に中敷き２１に固定することもできる。このようにすることで、利用者の嗜好に応じてベルト２２を交換することができる。また、ベルト２２を中敷き２１に対して旋回可能に取り付け、中敷き２１に対するベルト２２の角度を変更できるように構成することもできる。さらに、上記実施形態では、ベルト２２の両端部を中敷き２１に固定しているが、少なくとも一方が固定されていればよい。例えば、ベルト２２の一端部を中敷き２１に固定し、他端部を靴本体１の履き口１１の周縁や靴本体１の内部の壁面に固定することもできる。このようにしても、ベルト２２を足の甲で持ち上げることで、挿入開口３の前後方向の内径Ｄを大きくすることができる。
【００２６】
また、上記実施形態では、ベルト２２は中敷き２１に対し、前方に向かって傾斜するように取り付けられているが、図６に示すように、上方に延びるように取り付けることもできる。但し、この場合には、上記実施形態に比べ、ベルト２２の両端部２２２が前方にあり、足の先端側にベルト２２が巻き付いているため、踵を上方に上げたときに、内径Ｄを大きくするためには、踵をできるだけ上げる必要がある。
【００２７】
上記実施形態では、中敷き２１全体が靴本体１に対して着脱自在とされているが、例えば、中敷き２１の先端側を靴本体１の内部に固定し、後端側のみが中底１３から離間するように構成することもできる。すなわち、ベルト２２の引き上げとともに、中敷き２１の後端側が持ち上がるように、少なくともベルト２２の両端部を含め、その前方近傍から後端に亘って、中敷き２１が中底１３から離間できるようにすることが必要である。中敷き２１を靴本体１に固定する場合には、例えば、中敷き２１の先端部分と靴本体１の中底とが、靴の長さＬ１の少なくとも１０〜２５％程度で固定されていれば、上述した効果を得ることができる。また、中敷き２１は、中底１３と同じ大きさである必要はなく、例えば、図７に示すように、中敷き２１を中底１３の前後方向の中間付近から後端側に配置されるような形状にすることもできる。
【００２８】
また、上記実施形態では、本発明に係る固定部材の一例としてベルトを示したが、本発明はこれに限定されるものではない。すなわち、靴本体１の履き口１１に挿入された足首における先端側、または足の甲に巻き付けられるものであればよい。したがって、上述したベルト２２のような幅が小さいものだけではなく、大きいものであってもよい。また、図８に示すように、幅広で足の甲に巻き付けられるような固定部材６０であっても同様の効果を得ることができる。この場合、固定部材６０の少なくとも一部が履き口から外部に露出していればよく、これによって、上記のように、足を履き口１１に挿入したときに（例えば、図３の状態）、足の甲に固定部材を引っ掛けることができる。
【００２９】
さらに、固定部材を靴本体の甲被や舌革に固定することでも、本発明の効果を得ることができる。例えば、図９の例では、固定部材８０の中間部分が甲被１２における履き口１１側の端部と一体化され、甲被１２の両側から中敷き２１へと延びる部分はベルト状に形成されている。この例では、甲被１２の一部（足の甲を覆う部分）は、先端側が縫製１２１などで靴本体１に固定されているが、履き口１１と接する後端側は上下方向に揺動するようになっている。そして、ベルト状に形成された両端部８１は、靴本体１の側面に形成された開口部８２から靴本体１の内部に挿入され、中敷き２１と連結されている。この構成によれば、甲被１２の後端側を足の甲に引っ掛けて踵を上げると、中敷き２１の後端部を靴本体１の内部から離間させることができる。したがって、甲被１２を利用して中敷きを上下動させることができ、靴を容易に履くことができる。
【００３０】
なお、固定部材の両端部の形状は特には限定されず、上記のようにベルト状でなくてもよく、図８のように幅の太い部材であってもよい。また、靴本体１の側面に開口部８２を形成せず、靴本体１の内側から中敷き２１に連結してよい。さらに、複数枚の甲被を重ね、内側の甲被を固定部材と一体化させることもできる。この場合、固定部材は外部からは見えないようになることがある。また、必ずしも固定部材の両端部を中敷き２１に連結する必要はなく、いずれか一方が連結されていればよい。
【００３１】
上記の説明では、固定部材を甲被１２に連結しているが、靴本体に上下に揺動する舌革が設けられている場合には、舌革に連結することもできる。
【００３２】
また、本発明に係る固定部材の一態様として、長手方向のいずれかの位置で、固定部材を２つに分断し、これを着脱自在に連結するように構成することもできる。例えば、図９に示す例では、ベルト状の固定部材７０を第１部分７０ａ及び第２部分７０ｂの２つに分離し、これらを公知のスナップボタン７１により着脱自在に連結している。このようにすると、スナップボタン７１を外して、固定部材７０を２つに分離させることができるため、履き口１１から靴本体１へ足を容易に挿入することができる。
【００３３】
ところで、従来の靴では、スナップボタンが歩行中などに簡単に外れないように、固く固定されているため、取り外すのに強い力を要し、子供などの力の弱いユーザが外しにくいという問題がある。これに対して、本発明のように固定部材７０が中敷き２１に取り付けられていると、スナップボタン７１を外すのに要する力を小さくすることができる。例えば、固定部材７０の第１部分７０ａの端部を引っ張ってスナップボタン７１を外そうとすると、中敷き２１が固定部材７０によって引き上げられ、靴本体１の中底からわずかに浮き上がる。そのため、固定部材７０に作用する力は、中敷き２１が引き上げられることによって、その一部が吸収されるため、固定部材７０のみに直接作用する力を低減することができる。特に、中敷き２１が弾性変形可能な材料で形成されているため、上述した力の吸収効果を高めることができる。したがって、上述したスナップボタン７１を外すのに要する力を低減することができる。
【００３４】
なお、スナップボタン７１を外す際の力は、以下のように考えることができる。例えば、図１０に示すように、スナップボタン７１の中心から、固定部材７０の第１部分７０ａの端部７２までの距離が１５ｍｍであるとすると、この端部を引っ張ってスナップボタン７１を外すためには、従来の靴では、７００ｇより大きい力を要する。しかしながら、本発明のように固定部材を中敷きに取り付けると、４００〜７００ｇ、好ましくは、５００ｇ〜６００ｇの力で外すことができるスナップボタンを用いることができる。このような低い力で外れるスナップボタンを用いても、上述した理由から、歩行中にスナップボタンが外れるのを防止することができる。したがって、力の弱いユーザなどでも容易に外すことができる。なお、固定部材を着脱自在に分離するためには、上述したスナップボタン以外であってもよく、外力によって取り外すことができる連結部であれば、特には限定されない。
【００３５】
靴本体１は、上記実施形態で説明した態様だけではなく、種々の態様にすることができ、例えば、パンプスなど、種々の靴に適用可能である。
【符号の説明】
【００３６】
１  靴本体
１１  履き口
１２  甲被
２  中敷き体
２１  中敷き
２２  ベルト（固定部材）
【図１】
2013180133.tif 000003
【図２】
2013180133.tif 000004
【図３】
2013180133.tif 000005
【図４】
2013180133.tif 000006
【図５】
2013180133.tif 000007
【図６】
2013180133.tif 000008
【図７】
2013180133.tif 000009
【図８】
2013180133.tif 000010
【図１０】
2013180133.tif 000011
【図１１】
2013180133.tif 000012
【図９】
2013180133.tif 000013
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
足の履き口を有する靴本体と、
前記靴本体の内部に装着される中敷きと、
前記履き口に挿入された足首における前記靴本体の先端側、または足の甲に巻き付けられる固定部材と、を備え、
前記固定部材の両端部のうち少なくとも一方が、前記中敷きに取り付けられており、
前記固定部材の少なくとも一部が外部に露出しており、
前記中敷きは、少なくとも前記靴本体の後端側に位置する部分が、前記靴本体から離間可能に構成され、
前記固定部材と前記履き口の後端部とで形成される挿入開口の内径が、前記中敷きが前記靴本体から離間することにより、大きくなるように構成されている、靴。
【請求項２】
前記靴本体の甲被における前記履き口側の端部は、上下方向に揺動可能であり、
前記固定部材は、前記甲被の端部に一体的に連結されている、請求項１に記載の靴。
【請求項３】
前記靴本体は、上下方向に揺動可能な舌革を備え、
前記固定部材は、前記靴本体の舌革と一体的に連結されている、請求項１に記載の靴。
【請求項４】
前記固定部材の中間部が、当該固定部材の両端部よりも、前記靴本体の先端側に配置されている、請求項１から３のいずれかに記載の靴。
【請求項５】
前記固定部材は、前記両端部の間で分離されて第１部分及び第２部分により構成され、当該第１部分及び第２部分を着脱自在に連結する連結部が設けられている、請求項１から４のいずれかに記載の靴。
【請求項６】
前記固定部材は、前記中敷きに着脱自在に取り付けられている、請求項１から５のいずれかに記載の靴。
【請求項７】
足の履き口を有する靴に装着される中敷き体であって、
前記靴本体の内部に装着される中敷きと、
前記履き口に挿入された足首における前記靴本体の先端側、または足の甲に巻き付けられる固定部材と、を備え、
前記固定部材の両端部のうち少なくとも一方が、前記中敷きに取り付けられており、
前記固定部材の少なくとも一部は、前記靴の外部に露出するように構成され、
前記中敷きは、少なくとも前記靴本体の後端側に位置する部分が、前記靴本体から離間可能に構成され、
前記固定部材と前記履き口の後端部とで形成される挿入開口の内径が、前記中敷きが前記靴本体から離間することにより、大きくなるように構成されている、中敷き体。
【請求項８】
前記固定部材の中間部が、当該固定部材の両端部よりも、前記靴本体の先端側に配置されている、請求項７に記載の中敷き体。
【請求項９】
前記固定部材は、前記中敷きに着脱自在に取り付けられている、請求項７または８に記載の中敷き体。
【請求項１０】
前記固定部材は、前記両端部の間で分離されて第１部分及び第２部分により構成され、当該第１部分及び第２部分を着脱自在に連結する連結部が設けられている、請求項７から９のいずれかに記載の中敷き体。